(57)【特許請求の範囲】
【請求項１】
三次元コーナーを形成するように布材料からなる第１のシートを布材料からなる第２のシートに付着させ、この三次元コーナー内で、布材料からなる第２のシートを三次元コーナーの内側部分に伸長すること、および反転三次元コーナーを形成するために前記三次元コーナーを裏返し、布材料からなる第２のシートを三次元コーナーの外側部分に伸長すること、からなる布内にコーナーを構成する方法。
【請求項２】
布材料からなる第１のシートおよび布材料からなる第２のシートが縫付けにより付着され、三次元コーナーを裏返すことが、少なくとも縫付けの部分を三次元コーナーの内側部分の方向に返すことからなる請求項１の方法。
【請求項３】
布材料からなる第１のシートがその中に形成された第１のノッチを含み、第１のノッチは第１の側縁を形成し、布材料からなる第２のシートが第２の側縁を形成する第２のノッチを含み、および布材料からなる第１のシートを布材料からなる第２のシートに付着させることが、第１および第２の側縁に沿って付着させることからなる請求項１の方法。
【請求項４】
第１および第２の側縁に沿って付着させることが縫付けることからなる請求項３の方法。
【請求項５】
裏返すことが少なくとも縫付けの部分を三次元コーナーの内側部分の方向に返すことからなる請求項４の方法。
【請求項６】
反転三次元コーナーが３つの側面からなり、布材料からなる第２のシートが反転三次元コーナーの３つの側面の各々の外側部分に伸長する請求項５の方法。
【請求項７】
布材料からなる第３のシートを反転三次元コーナーの内側に付着させることをさらに含む請求項５の方法。
【請求項８】
布材料からなる第３のシートがシール・テープからなる請求項７の方法。
【請求項９】
シール・テープが防水シール・テープからなる請求項８の方法。
【請求項１０】
シール・テープが少なくとも縫付けの部分を覆って付着される請求項８の方法。
【請求項１１】
布材料からなる第３のシートを反転三次元コーナーの内側に付着させることをさらに含む請求項１の方法。
【請求項１２】
布材料からなる第３のシートがシール・テープからなる請求項１１の方法。
【請求項１３】
第１および第３のシートがポリエチレンからなり、ここで、第３のシートを付着させることが第３のシートを第１のシートに熱溶接することからなる請求項１１の方法。
【請求項１４】
シール・テープが防水シール・テープからなる請求項１２の方法。
【請求項１５】
シール・テープが、少なくとも、布材料からなる第１のシートの、布材料からなる第２のシートへの付着部分を覆って付着される請求項１２の方法。
【請求項１６】
請求項１１の方法により形成されたコーナーを有する布構造物。
【請求項１７】
布構造物がテントからなる請求項１６の布構造物。
【請求項１８】
請求項１の方法により形成されたコーナーを有する布構造物。
【請求項１９】
布構造物がテントからなる請求項１８の布構造物。
【請求項２０】
さらに反転三次元コーナーの頂点上にタブを形成することからなる請求項１の方法。
【請求項２１】
さらにタブにループを取り付けることからなる請求項２０の方法。
【請求項２２】
三次元コーナーを形成するように布材料からなる第１のシートの隣接部分を付着させることと、および
反転三次元コーナーを形成するために三次元コーナーを裏返すことと、
からなる布内にコーナーを構成する方法。
【請求項２３】
布材料からなる第１のシートの隣接部分が縫付けにより付着され、ここで、三次元コーナーを裏返すことが、少なくとも縫付けの部分を三次元コーナーの内側部分の方向に返すことからなる請求項２２の方法。
【請求項２４】
布材料からなる第２のシートを反転三次元コーナーの内側に付着させることをさらに含む請求項２２の方法。
【請求項２５】
第１および第２のシートがポリエチレンからなり、第２のシートを付着させることが第２のシートを第１のシートに熱溶接することからなる請求項２４の方法。
【請求項２６】
布材料からなる第２のシートがシール・テープからなる請求項２４の方法。
【請求項２７】
シール・テープが防水シール・テープからなる請求項２６の方法。
【請求項２８】
請求項２４の方法により形成されたコーナーを有する布構造物。
【請求項２９】
布構造物がテントからなる請求項２８の布構造物。
【請求項３０】
請求項２２の方法により形成されたコーナーを有する布構造物。
【請求項３１】
布構造物がテントからなる請求項３０の布構造物。
【請求項３２】
２つのポリエチレン布片が相接するコーナーと、
コーナーの内側に沿って伸長し且つ２つのポリエチレン布片を付着させる、縫い付けられた継目と、および
コーナーの内側で且つ縫い付けられた継目を覆って伸長するシール・テープと、
からなる布構造物。
【請求項３３】
布構造物がテントからなる請求項３２の布構造物。
【請求項３４】
コーナーがテントのフロアのコーナーにおける三次元コーナーからなる請求項３３の布構造物。
【発明の詳細な説明】
【０００１】
【発明の属する技術分野】
本発明は一般的にはテントに関し、さらに詳細にはテント構造に関するものである。
【０００２】
【従来の技術】
テントは、軽量で、しばしば防水性の布で作られたポータブル・シェルタ（携帯型避難所）である。テントの形状およびサイズはさまざまである。最も一般的な形状はドーム、即ち自立モデルである。このモデルは設置が容易であり且つ樹木の枝またはその他の物体からのサポートを必要としない。
【０００３】
たいていのテントの上部部分はしばしばキャンバスまたはナイロンのような耐候性材料から形成されている。テントの底部は永久防水コーティング（しばしばウレタンからなる）を有するナイロンまたはポリエチレンから形成されている。これらの材料の各々はよく水を弾くが、フロア材料は典型的にはさらに防水性がある。今日のある設計においては、フロア材料がテントの下部壁を包み込むように立上り、これによりフロア材料からなる「平底容器（ｔｕｂ)」を形成している。テントの側材料の一部を包み込むことにより、常に水が入りやすいテントの下部部分にきわめて良好な防水障壁が提供される。
【０００４】
現在のテント材料はその意図する目的を十分に果たしているが、現在のいくつかのテント設計に付属する問題点は、テントの継目から漏れが発生することであり、したがって、シール・コーティングまたは防水布による被覆を必要とする。この問題は、常に水が入りやすいフロアの継目に対して発生する。平底容器設計を有するテント・フロアは側壁とフロアとを接続する継目が地面から上がっているので、ある程度この問題を回避させる。しかしながら、フロア材料の平底容器のコーナーは継目で接続されているので、この継目から漏れが発生することがある。漏れやすい継目は水をテント内に入り込ませることがあるので、テントの中にいることを不快にさせる。
【０００５】
【発明が解決しようとする課題】
特に平底容器（ｔｕｂ）型フロアを有するテントのフロア・コーナーの継目からの漏れという従来の問題点の大部分を解決させる、テントまたはその他の布カバーのためのコーナーを構成する方法を提供することが本発明の課題である。
【０００６】
【課題を解決するための手段】
本発明による１特徴によれば、布内にコーナーを構成する方法において、三次元コーナーを形成するように布材料からなる第１のシート（２６）を布材料からなる第２のシート（２４）に付着させ、この三次元コーナー内で、布材料からなる第２のシート（２４）を三次元コーナーの内側部分に伸長し（図５）、および反転三次元コーナーを形成するために前記三次元コーナーを裏返し、布材料からなる第２のシート（２４）を三次元コーナーの外側部分に伸長する（図６）ことを特徴とする。
【０００７】
布材料からなる第１のシート（２６）および布材料からなる第２のシート（２４）が縫付けにより付着され、少なくとも縫付けの部分を三次元コーナーの内側部分の方向に返す（図５）ことが好ましい。
【０００８】
布材料からなる第１のシート（２６）がその中に形成された第１のノッチ（３０）を含み、第１のノッチ（３０）は第１の側縁を形成し、布材料からなる第２のシート（２４）が第２の側縁を形成する第２のノッチを含み、および布材料からなる第１のシート（２６）を布材料からなる第２のシート（２４）に、第１および第２の側縁に沿って付着させることが好ましい。
【０００９】
第１および第２の側縁に沿って付着させることが、縫付けによることが好ましい。
【００１０】
反転三次元コーナーが３つの側面からなり、布材料からなる第２のシート（２４）が反転三次元コーナーの３つの側面の各々の外側部分に伸長することが好ましい。
【００１１】
布材料からなる第３のシート（２８）を反転三次元コーナーの内側に付着させることが好ましい。
【００１２】
布材料からなる第３のシート（２８）がシール・テープであること、さらに防水シール・テープであることが好ましい。
【００１３】
シール・テープ（２８）が少なくとも縫付けの部分を覆って付着されることが好ましい。
【００１４】
第１および第３のシート（２６，２８）がポリエチレンからなり、第３のシートを第１のシートに熱溶接することが好ましい。
【００１５】
シール・テープ（２８）が、少なくとも、第１のシート（２６）の第２のシート（２４）への付着部分を覆って付着されることが好ましい。
【００１６】
さらに、反転三次元コーナーの頂点上にタブを形成することが好ましい。
【００１７】
さらに、タブにループを取り付けることが好ましい。
【００１８】
本発明の別の特徴によれば、前述のようにして形成されたコーナーを有する布構造物、例えばテントが提供される。
【００１９】
本発明の別の特徴によれば、布内にコーナーを構成する方法において、三次元コーナーを形成するように布材料からなる第１のシートの隣接部分を付着させ、反転三次元コーナーを形成するために三次元コーナーを裏返すことを特徴とする。
【００２０】
前記布材料からなる第１のシートの隣接部分が縫付けにより付着され、ここで、三次元コーナーを裏返すことが、少なくとも縫付けの部分を三次元コーナーの内側部分の方向に返すことが好ましい。
【００２１】
布材料からなる第２のシートを反転三次元コーナーの内側に付着させることが好ましい。
【００２２】
第１および第２のシートがポリエチレンからなり、第２のシートを第１のシートに熱溶接することが好ましい。
【００２３】
布材料からなる第２のシートがシール・テープからなることが好ましい。
【００２４】
シール・テープが防水シール・テープであることが好ましい。
【００２５】
本発明の別の特徴によれば、前述のようにして形成されたコーナーを有する布構造物、例えばテントが提供される。
【００２６】
本発明の別の特徴によれば、２つのポリエチレン布片が相接するコーナーと、コーナーの内側に沿って伸長し且つ２つのポリエチレン布片を付着させる、縫い付けられた継目と、およびコーナーの内側で且つ縫い付けられた継目を覆って伸長するシール・テープとからなる布構造物、例えばテントが提供され、かかる布構造物においては、コーナーがテントのフロアのコーナーにおける三次元コーナーからなる。
【００２７】
【発明の実施の形態】
本発明の一実施態様により、フロア材料シート内にノッチが形成され、且つノッチに隣接して、フロア材料シート上に保護パネルが設けられる。保護パネルはノッチの側縁と一致するように切断される。
【００２８】
コーナーを形成するために、ノッチの側縁は相互に当接するように内側へ折り返される。このとき、保護パネルは形成されたコーナーの内側に位置している。次に、例えば縫付けまたは熱溶接により、ノッチおよび保護カバーの側縁が接続される。
【００２９】
本発明の他の実施態様により、前記のように形成されたコーナーが裏返され、これにより、保護パネルは新たに形成されたコーナーの外側に位置する。したがって、保護パネルはフロアの最も外側のコーナーおよびそのコーナーに形成された継目を被覆する。継目付着部からの余分の材料（例えば縫い付けられた付着部から出ているオーバラップ材料）はコーナーの内側に位置させてもよく、これによりコーナーに滑らかな外観を与える。保護パネルはコーナーの付着部に対して強度を提供する。
【００３０】
本発明の他の実施態様により、保護パネルおよびフロア材料シートはタブ（ｔａｂ）を形成するように相互に挟み付けられる。挟み付けられた材料は、例えば溶接または縫付けにより相互に付着されてもよい。グロメット（穴輪）、ループ（環）またはその他の取付構造物がタブに取り付けられてもよい。相互に挟み付けられた布は隣接する側縁の間の転向角の段を形成し、これによりコーナーの内部および外部に滑らかで丸みのある外観を与えることができる。
【００３１】
本発明のさらに他の実施態様により、防水テープのようなシール・テープが反転コーナーの内側に付着される。シール・テープはノッチの２つの側縁の接続部により形成された継目とオーバラップすることが好ましい。継目に余分の材料が存在する場合、それは折り返されてシール・テープの下側に閉じ込められてもよい。シール・テープは溶接またはその他の接着方法によりフロア材料シートに付着されてもよい。
【００３２】
ポリエチレン布が使用される場合、シール・テープはポリエチレンであってもよい。次にポリエチレン・テープは例えば熱溶接によりポリエチレン布にシールされる。この構造はテントに使用できる比較的安価なコーナーを提供する。
【００３３】
本発明によるコーナーの形成方法により、テント、防水布およびその他の布構造物に対して使用できるシール・コーナー構造が得られる。改良されたコーナーは、コード、杭またはポールを取り付けるための丈夫な箇所（例えばタブ）を提供し、且つ構造物の内部を雨または風のような悪天候から保護するようにコーナーをシールする。
【００３４】
以下に、本発明の種々の実施態様を図面を参照しながらさらに詳細に説明する。説明のためには、本発明を完全に理解できるように、特定の形状および詳細が説明される。しかしながら、特定の詳細を知らなくても、本発明は実行可能であることは当業者に明らかであろう。さらに、方向を示すために、頂部、底部、前方、後方等の表示が用いられるが、この表示は説明を容易にするためのものであり、当業者は必要に応じて本発明の要素の方向を変えてもよい。さらに、本発明を不明確にさせないために、周知の特徴は省略され、またはその説明は簡単にされている。
【００３５】
図１および２により簡単に説明すると、本発明はテント２２に対する改良型シール・コーナー２０の構造に関するものである。要約すると、コーナー２０は、コーナーを形成するためにシート２６のコーナー上に保護パネル２４を付着させ（図３）、シート２６の側縁同士を付着させて継目を形成し、および該継目を裏返すことにより形成される。さらに、本発明の他の実施態様により、シール・テープ２８（図８）が反転コーナー構造の内側に追加される。
【００３６】
テント２２のコーナー２０に関して説明されているが、本発明の教示は、ターポリン（ｔａｒｐａｕｌｉｎ防水布）およびキャノピー（ｃａｎｏｐｙ）を含む任意の布構造物に対するコーナーを形成するために使用されてもよい。しかし必ずしもこれらに限定されない。さらに、テントに対して示したコーナー２２は約９０°であるが、本発明のテント・コーナー構造は、９０°以下または９０°に等しい角度を含む、布内の任意の折返しに対して使用されてもよい。しかしながら、本発明は、特に、防水特性が望ましい平底容器（ｔｕｂ）構造用コーナーに適用される。
【００３７】
本発明の方法を用いて、テント・フロアは平底容器（ｔｕｂ）構造を有するように形成されてもよく、即ち、フロアに対する材料が、図１に示すようにテントの側面を一部包み込んでいる。このようにして、テント・フロアは湿った地面からの最大の保護を提供する。
【００３８】
シートは、永久防水コーティング（しばしばウレタンからなる）を有するタフタ（ｔａｆｆｅｔａ）ナイロンのような防水性のたわみ材料から形成されてもよい。その他の材料が使用されてもよい。例えば、以下に記載のように、低密度ポリエチレン（ＬＤＰＥ）のようなポリエチレンから形成されてもよい。
【００３９】
コーナー２０が形成される位置においてシート２６内にノッチ３０（図３）が切断される。ノッチ３０は頂点３２および側縁３４を含む。ノッチ３０の側縁３４が、相互に隣接するように，折り返されて三次元コーナーを形成し、且つシート２６内に、９０°の折返しのような、コーナー２０のフロアの側縁間に希望の転向角を与えるように、ノッチ３０が形成されることが好ましい。さらに、形成されたコーナー２０がテント２２の側面の各々に対して希望のピッチを有するように、ノッチ３０が形成されることが好ましい。当業者は希望のテント（またはその他の構造物）の形状に従ってノッチ３０を形成することができる。
【００４０】
保護パネル２４は、ポリエチレンまたは永久防水コーティング（例えばウレタン）を有するタフタ・ナイロンのようなたわみ性のある防水材料から形成されてもよい。保護パネル２４の内縁３８は、頂点３２および隣接する側縁３４においてノッチ３０の輪郭と一致するように切断される。保護パネル２４は内縁３８の頂点４０に隣接する追加の布を含む。図示の実施態様においては、追加の布は点４２の方向へ伸長している。図示の実施態様における追加の布の材料は内縁３８における点４４に向かって先が細くなっている。したがって、図示の保護パネル２４の全体形状はブーメランのようなものであり、前縁および後縁は三角形を形成し、末端が接続され且つ三角形の頂点は分離している。
【００４１】
コーナー２０を構成するのに使用可能な方法の一例が図３−９に示されている。図３から開始し、内縁３８がノッチ３０と一致されるように、保護パネル２４がシート２６の上に位置決めされる。次に、保護パネル２４が、例えば保護パネルの外縁をシートに溶接することまたは縫い付けることにより（図４に付着が縫付線５０に沿って示されている）シート２６に付着される。
【００４２】
保護パネル２４がシート２６に付着されたのち、ノッチ３０の側縁３４が、図４に示す位置から図５に示す位置へ、図４に矢印５２で示すように上方且つ内方に折り返される。このようにして、三次元コーナーが形成される。三次元コーナーは、それがテントまたはその他の布構造物の少なくとも３辺の隣接縁の周りを材料の１枚シートで包囲させることを可能にする点において有利である。したがって、三次元コーナーは、例えばテントに対する平底容器フロアの底部のコーナーに対して使用することができる。次に、例えば熱溶接により、縫付けにより、またはその他の方法により、両側縁３４が付着される。図示の実施態様においては、これらの片の各々からの材料のフラップ５６は外方に伸長し、且つコーナーの内側上で縫い付け、またはその他の方法で相互に付着される。両側の材料が合わさる位置に継目５４が形成される。材料のフラップ５６はノッチ３０の側縁３４および保護パネル２４の内縁３８を含む。フラップ５６の一部の材料を除き、保護パネル２４は、図５に示すように、形成されたコーナーの内側部分上に伸長している。
【００４３】
本発明の一実施態様により、次にコーナーが裏返される。これを行うために、図５において矢印６０で示すように、フラップ５６およびコーナーが内方に押し込まれ、且つシート２６の隣接部分がひっくり返され（図５における矢印６２）、これにより、図６に示すように、保護パネル２４をコーナーの外側に押し出すことができる。このようにして、フラップ５６はコーナーの内側に移動され、これにより、継目５４をコーナーの外縁に沿って露出させることができる。保護パネル２４に対する余分の材料は、図６に示すようにコーナーの下側で伸長する。
【００４４】
コーナーを裏返すことにより、フラップ５６上に位置している継目５４に対する縫付部を反転コーナーの内側に位置させることができる。この特徴は、縫付部がしばしば継目内の漏水箇所となることから有利である。
【００４５】
コーナーが裏返されたのちに、コーナーの頂点における材料は一種の皺のように僅かに外側に出ている。この材料は、図６において矢印６６で示すように、相互に挟み付けることができる。次に、相互に挟み付けられた材料は、例えば熱溶接、縫付けまたはその他の適切な付着方法により接続されてもよい。図７に、相互に挟み付けられた布が縫付線６８により相互に保持されていることが示されている。この場合に保護パネル２４およびシート２６の両方を含む、相互に挟み付けられた布の挟付け接続部分は、コーナー２０の頂点においてタブ（耳状片）７０を形成する。頂点においてたるんでいる材料を集めることにより、即ちコーナーの角を丸くすることにより、およびコーナーに隣接する側面を真っすぐ伸ばすことにより、タブ７０はコーナー２０を滑らかにさせる。さらに、タブ７０は、グロメット（穴輪）、ロープ、ループ（環）またはその他の構造物をそれに取り付けることができる箇所を提供する。
【００４６】
図２および９に、タブ７０に取り付けられたループ７２が示されている。ループ７２は多くの目的を果たすことができる。例えば、ループ７２を通して地面に杭を打ち込み、これによりテント２２を固定してもよい。さらに、１本以上の結合ロープをループ７２に縛り付けてもよく、またはテント用ポールをループに取り付け、またはループ内に通してもよい。
【００４７】
タブが保護パネル２４およびシート２６の両方に接続されていることは、タブ７０のための確実な接続を形成する。さらに、タブ７０は継目５４によりコーナーの内部から分離され且つ材料の少なくとも２つの層（即ちシート２６および保護パネル２４）がタブと内側との間に存在するので、タブ７０がコーナー２０の内側に対する漏れの問題を形成することはない。
【００４８】
保護パネル２４はコーナー２０の継目において追加の強度を提供する。その余分の材料はコーナー２０の頂点において継目５４の部分に重なり、且つ継目において厚みの余分の層を提供し、これによりタブ７０に対する確実なベースを形成する。さらに、コーナー２０の外側における余分の材料は摩耗保護を提供し、これによりテント２２に追加寿命を与える。
【００４９】
本発明の他の実施態様により、コーナー２０に内側防水シール・パネルが追加されてもよい。内側防水シール・パネルは、例えば縫い付けられ、熱溶接または超音波溶接され、接着剤で接着され、またはその他の方法でコーナー２０の内側の所定位置に付着された追加の布材料であってもよい。シール・テープ２８の形の内側防水シール・パネルの例が図８に示されている。シール・テープ２８は例えば熱および／または圧力により活性化される接着剤を有するヒートシール・テープであってもよい。内側シールとして使用できるシール・テープ２８の例は、熱溶接および加圧溶接により付着させることができるポリウレタン・テープである。このタイプのシール・テープは特にナイロン・フロアに対して有効である。しかしながら、ポリウレタン・テープは高価であり、それはポリエチレン・フロアの表面には熱溶接されないので、安価なポリエチレン・フロアと共に使用することができない。本発明の一実施態様により、本発明者は、内側防水シール・パネル例えばシール・テープ２８がポリエチレンと共に使用できる方法を開発した。
【００５０】
シート２６がポリエチレン（例えばポリウレタンでシールされた低密度ポリエチレン）で製造されたコーナー２０をシールするために、本発明は、ポリエチレンから製造されたシール・テープを利用し、且つその布をコーナーの内側に熱溶接する。熱溶接方法はシート２６とシール・テープ２８との間の一体接合を形成し、これにより継目５４を効果的に防水シールすることができる。
【００５１】
図８からわかるように、シール・テープ２８はコーナー２０の内側輪郭に一致するように曲げられる。フラップ５６は片側に曲げられ、およびシール・テープは、フラップをその位置に保持し且つ継目５４をシールするように、コーナーの内側に圧着される。所定位置に圧着されたとき（図９）、（例えば上記のように溶接により）シール・テープ２８を所定位置にシールさせることができる。
【００５２】
シール・テープ２８は水分に対する追加の障壁を与え、且つフラップもシールし、したがって継目５４の内部を水分の浸入に対してシールする。この特徴は、コーナー２０を構成するために使用される保護パネル２４および裏返し方法と共に、コーナーに対してきわめて安定且つきわめて防水性のあるシールを形成する。これらの特徴の各々は単独で使用されても有利な防水障壁を与えるので、有利な防水障壁を提供するためにこれらの特徴の任意の１つが単独で使用されてもよいが、任意の２つが組み合わされて使用されてもよい。さらに、本発明の教示は、テントまたはその他の布構造物上で布が接続されるその他の位置に適用されてもよい。例えば２枚の布がテント上の任意の位置で（例えば１つの縁に沿って）接続され且つ裏返され、これにより、２枚の布を接続する縫付部がテントの内側にくるようにすることができる。この縫付部は、本発明の一実施態様により、シール・テープで被覆させることができる。
【００５３】
その他の変更態様は本発明の精神の範囲内にある。したがって、本発明はこのように種々の修正構造および代替構造を可能にするが、ここでは、そのうちのある実施態様を図面に示し且つ詳細に説明してきた。しかしながら、本発明を開示された特定の形状に限定する意図はなく、逆に、本発明はあらゆる修正構造、代替構造を包含し、且つ特許請求の範囲に記載されているような、本発明の精神および範囲内に入る同等構造を包含するものと理解されるべきである。
【図面の簡単な説明】
【図１】本発明に関するテントの簡易設計の斜視図である。
【図２】図１のテントの１つのコーナーの部分破断図である。
【図３】フロア・シートの１つのセクションに付着される保護パネルを示した、図２のコーナーの組立の初期段階を示す部分破断図である。
【図４】保護パネルがフロア・シートに付着された、図２のコーナーの組立の次の段階を示す図３に類似の部分破断図である。
【図５】コーナーを形成するためにフロア・シートが折り返された、図２のコーナーの組立のさらに次の段階を示す図４に類似の部分破断図である。
【図６】コーナーが裏返された、図２のコーナーの組立のさらに次の段階を示す図５に類似の部分破断図である。
【図７】平底容器を形成するために反転コーナーの最も外側の部分が平らにされた、図２のコーナーの組立の次の段階を示す図６に類似の部分破断図である。
【図８】シール・テープをコーナーの内側部分から離して示した、図２のコーナーの組立のさらに次の段階を示す図７に類似の部分破断図である。
【図９】シール・テープがコーナーの内側部分に付着された、図２のコーナーの組立のさらに次の段階を示す図８に類似の部分破断図である。
【図１０】図２の切断線１０−１０による断面図である。
【符号の説明】
２０  コーナー
２２  テント
２４  保護パネル（第２のシート）
２６  シート（第１のシート）
２８  シール・テープ（第３のシートまたは第２のシート）
３０  ノッチ（第１のノッチ）
３４  側縁
３８  内縁（側縁）
５０  縫付線
５４  継目
７０  タブ（耳）
７２  ループ（環）
【図１】
0004012803.tif 000002
【図２】
0004012803.tif 000003
【図３】
0004012803.tif 000004
【図４】
0004012803.tif 000005
【図５】
0004012803.tif 000006
【図６】
0004012803.tif 000007
【図７】
0004012803.tif 000008
【図８】
0004012803.tif 000009
【図９】
0004012803.tif 000010
【図１０】
0004012803.tif 000011